(57)【要約】【課題】パソコンまたは無線端末装置から発生する雑音が外部アンテナから侵入して引き起こす悪影響を回避できる。【解決手段】パソコンのスロットに装着され外部アンテナを引き出し可能なＰＣカード型無線端末装置において、外部アンテナ３を先端に備える所定の長さを有する棒状のアンテナ支持棒４を筐体１のアンテナ支持棒収納部４Ｓから引き出した際に、外部アンテナ３を、パソコンから雑音の影響を受けない範囲に置くことができる。アンテナ支持棒４は外周表面のほとんどを電磁遮蔽部材で覆う構造を有している。【選択図】図１
2006005867.tif 000002
【特許請求の範囲】
【請求項１】
情報処理装置のスロットに装着され外部アンテナを引き出し可能なＰＣカード型無線端末装置において、外部アンテナを引き出した際に、先端に取り付けられる外部アンテナを、情報処理装置から雑音の影響を受けない範囲に置く引出棒をアンテナ支持棒として備えることを特徴とするＰＣカード型無線端末装置。
【請求項２】
請求項１に記載のＰＣカード型無線端末装置において、前記アンテナ支持棒は外周表面のほとんどを電磁遮蔽部材で覆う構造を有することを特徴とするＰＣカード型無線端末装置。
【請求項３】
請求項１に記載のＰＣカード型無線端末装置において、前記アンテナ支持棒は、本体装置から引き出された際、その中間部で、収納されていた状態から伸張可能なスライド構造を有することを特徴とするＰＣカード型無線端末装置。
【請求項４】
請求項１に記載のＰＣカード型無線端末装置において、前記アンテナ支持棒は本体装置が情報処理装置のスロットに装着された際、アンテナ支持棒の収納部と連携して、情報処理装置表面に対して垂直方向に引き出される構造を有することを特徴とするＰＣカード型無線端末装置。
【請求項５】
請求項１に記載のＰＣカード型無線端末装置において、前記アンテナ支持棒は弾性構造を有することを特徴とするＰＣカード型無線端末装置。
【請求項６】
請求項１に記載のＰＣカード型無線端末装置において、前記外部アンテナは、利用周波数の波長λの「４分の１」長を有し、前記アンテナ支持棒の先端で可動部により回動自在の構造を有することを特徴とするＰＣカード型無線端末装置。
【請求項７】
請求項１に記載のＰＣカード型無線端末装置において、利用周波数の波長λの「４分の１」長を有し、前記アンテナ支持棒の先端部分で外面に露出すると共に本体装置のグランドと接続して、前記外部アンテナと一組のアンテナを構成する露出外部導体を備えることを特徴とするＰＣカード型無線端末装置。
【請求項８】
請求項１に記載のＰＣカード型無線端末装置において、線材を伸張した場合に利用周波数の波長λの「４分の１」長を有し、前記アンテナ支持棒の先端部分でらせん状に巻き付き外面に露出すると共に本体装置のグランドと接続して、前記外部アンテナと一組のアンテナを構成する露出外部導体を備えることを特徴とするＰＣカード型無線端末装置。
【発明の詳細な説明】
【技術分野】
【０００１】
本発明は、アンテナを介して無線チャネルによりデータを送受信するものであって、情報処理装置、例えばパーソナルコンピュータ（以後、パソコンと略称する）のスロットに挿入し装着することによりアンテナを介して無線チャネルによりパソコンを外部と接続できるＰＣカード型無線端末装置に関するものである。
【背景技術】
【０００２】
近年、ノートブック型のパソコンを中心として、ＪＥＩＤＡ／ＰＣＭＣＩＡの基準に準拠したカードスロットを有するパソコンが増えている。これに伴って、そのカードスロットに装着可能な種々のＰＣカードが開発されている。これらＰＣカードには、携帯電話または無線ＬＡＮなどに必要な無線通信機能を内蔵する無線通信用ＰＣカードもある。
【０００３】
従来のＰＣカード型無線端末装置は、パソコンのスロットに装着した場合、内蔵するアンテナでは極端な効率の低下とインピーダンス不整合とを生じる。この状態では、ＰＣカード型無線端末装置は、無線機としての機能を全く失うので、パソコン外部にアンテナを設けている。すなわち、多くのＰＣカード型無線端末装置は、スロットに装着した際に、外部アンテナを内蔵する筐体をケーブルで接続している。または、ＰＣカード型無線端末装置自体が、パソコンとケーブルで接続され、パソコンから離れて設置されている。
【０００４】
このように、ケーブルを用いて接続する場合、ケーブル先端のアンテナ装置もしくは無線端末装置、またはケーブル自体が利用者による不用意な応力を突然加えられることが考えられる。このため、ケーブルに働く張力によって、ケーブルが離脱するなどの危険性がある。更に、ケーブルの離脱による障害の発生のみならずパソコンの携帯性、操作性などが損なわれる可能性もある。
【０００５】
この改善策として、アンテナを、ケーブルを使用することなしで、ＰＣカード型無線端末装置から引き出すと同時にパソコンの外部に位置させる技術が、例えば、下記特許文献１に開示されている。
【０００６】
図７はこの種のＰＣカード型無線端末装置による外観形状の一例を示す説明図である。図７を参照すれば、カード型装置１０１は内部にアンテナ収納部１０２を有する。無線通信で使用の通信用アンテナ１０３はこのアンテナ収納部１０２に収納されている。無線通信を行う場合、アンテナ１０３は、アンテナ収納部１０２から引き出して、パソコンの外部に取り出される。引き出されたアンテナ１０３は、根元の部分の可動部１０４により回動自在であり、摩擦による固定機能によりその方向を位置決めできる。
【０００７】
しかしながら、パソコンのスロットにＰＣカード型無線端末装置を装着して使用する際、パソコンが雑音源となりその雑音の影響により通信品質が大きく劣化することがある。
【０００８】
パソコンの制御回路または無線端末の通信制御回路で発生する雑音の影響を抑制する技術として、例えば、下記特許文献２がある。
【０００９】
この特許文献２によれば、折り畳み式の無線通信端末で、一方のカード型筐体をパソコンのスロットに装着し、他方の筐体に高周波回路を搭載すると共にその先端で筒状アンテナを引き出している。この筒状アンテナは、二つの筐体を接続するヒンジにより、アンテナ付き筐体の回転移動に伴って同時に回転することができる。このような構造が、本体装置側の雑音をアンテナから回避している。
【００１０】
これらの技術では、アンテナをパソコン外部に引き出し、かつ伸張するため、受信感度は向上する。しかし、伸長した筒状アンテナとパソコンとの距離が近いため、パソコンからの雑音の影響がなお残る。
【００１１】
【特許文献１】特開平８−２７９０２７号公報
【特許文献２】特開２００１−１０２９４９号公報
【発明の開示】
【発明が解決しようとする課題】
【００１２】
解決しようとする課題は、ＰＣカード型無線端末装置をパソコンのスロットに装着した際、ＰＣカード型無線端末装置から引き出される外部アンテナがパソコンに近接しているため、パソコンからの雑音が外部アンテナから侵入して引き起こす悪影響が回避できないことである。
【課題を解決するための手段】
【００１３】
本発明は、パソコンのスロットに装着されたＰＣカード型無線端末装置から外部アンテナを引き出した際に、外部アンテナを、パソコンから雑音の影響を受けない範囲に置く引出棒をアンテナ支持棒として有することを主要な特徴とする。
【００１４】
すなわち、本発明によるＰＣカード型無線端末装置は、アンテナ格納部を筐体の例えば長辺方向に有する。アンテナ格納部は、外部アンテナが取り付けられた棒状のアンテナ支持棒を収容する。アンテナ支持棒は、このアンテナ格納部から筐体の例えば長辺方向に適切な長さだけ引き出される弾性を有する棒状を成しており、ほとんどの外周表面を電磁遮蔽構造としている。
【００１５】
外部アンテナは、装置本体から最も離れる、アンテナ支持棒の先端部に具備される。装置本体がパソコンのスロットに挿入装着される場合、装置本体から最高に引き出されたアンテナ支持棒の先端部はパソコンから最も離れた位置となる構造を有する。このため、アンテナ支持棒は、本体装置がパソコンのスロットに装着された際、アンテナ支持棒の収納部と連携して、パソコン表面に対して垂直方向に引き出される構造であることが望ましい。
【００１６】
一つの外部アンテナは、使用周波数の波長λの「４分の１」長の棒状アンテナであり、その一端をアンテナ支持棒先端の可動部に固定し、他端を周囲の何れの方向にも回動（回転運動）自在とし、所定位置で固定できる。この可動部は、アンテナ支持棒の先端で棒状アンテナを周囲の何れの方向にも自在に回動できる。
【００１７】
また、外部アンテナには、アンテナ支持棒の先端部分で使用周波数における波長λの「４分の１」長を有する外導線により、アンテナ支持棒の外側で筒状に形成される中空アンテナが露出された外部導体により形成できる。または、伸ばした長さが使用周波数の波長λの「４分の１」長となる線状導体をアンテナ支持棒の先端部分で螺旋状に巻き付けたヘリカルアンテナが露出された外部導体により形成できる。この筒状アンテナまたはヘリカルアンテナは上記棒状アンテナと共存して一組のアンテナを形成できる。
【発明の効果】
【００１８】
本発明のＰＣカード型無線端末装置は、この本体装置から長辺方向に引き出されるアンテナ支持棒の先端部に外部アンテナを設けている。更にアンテナ支持棒は外周表面を電磁遮蔽構造としている。このため、外部アンテナはパソコンまたは本体装置から離れて位置していると共にその伸張導体部分が電磁遮蔽されているので、パソコンまたは本体装置から発生する雑音が外部アンテナから侵入して引き起こす悪影響を効果的に回避できるという利点がある。
【発明を実施するための最良の形態】
【００１９】
パソコンまたは無線端末装置の本体装置から発生する雑音が外部アンテナから侵入して引き起こす悪影響を回避するという目的を実現するため、外部アンテナは本体装置から長辺方向に引き出される所定長のアンテナ支持棒の先端部に設けられ、更にアンテナ支持棒は外周表面を電磁遮蔽構造としている。
【００２０】
以下に、図面を参照して詳細を説明する。図面では、構造の理解を重視するため、その相対的な大きさは参考程度である。また、本発明に無関係な個所の詳細は省略されている。
【実施例１】
【００２１】
本発明の実施例１について図１（Ａ），（Ｂ）を参照して説明する。
【００２２】
図１（Ａ）は、本発明によるＰＣカード型無線端末装置にあって、筐体１から外部アンテナ３をアンテナ支持棒４と共に引き出した状態の実施の一形態を示して説明する斜視図である。
【００２３】
図１（Ｂ）は、図１（Ａ）で、外部アンテナ３を備えるアンテナ支持棒４を筐体１内部に収納した状態を示して説明する斜視図である。
【００２４】
図１（Ａ）に示されるＰＣカード型無線端末装置は、筐体１、回路基板２、外部アンテナ３、アンテナ支持棒４、アンテナ支持棒収納部４Ｓ、可動部５、および露出外部導体６により構成されている。
【００２５】
筐体１は、ＰＣカードの規格にそった大きさで、内部に回路基板２とアンテナ支持棒４を収納するアンテナ支持棒収納部４Ｓとを有して本体装置を形成する。回路基板２には本体の無線通信制御回路または無線回路が組み込まれる。
【００２６】
外部アンテナ３は、利用周波数における波長λの「４分の１」長を有する棒状アンテナであり、アンテナ支持棒４の外側への露出端に設けられる可動部５に取り付けられる。外部アンテナ３は、アンテナ支持棒４の先端部で自己の先端を回動できるので、その向きを最高受信レベル方向に設定することができる。
【００２７】
アンテナ支持棒４は、棒状を成し、同軸状に中心軸位置にする内導線を有し、棒状の外皮部分に外導線を有している。この内導線は、先端の外部アンテナ３に回路基板２の信号線を接続している。また、後に、図面を参照して詳細を説明するが、アンテナ支持棒４は、その先端部分で外部アンテナ３に近接して露出外部導体６を有する。上記外導線は、この露出外部導体６を回路基板２のグランドに接続されている。更に、棒状のほとんどの外周部分は電磁遮蔽されている。
【００２８】
アンテナ支持棒４は、先端の外部アンテナ３が本体装置またはパソコンからの雑音を低減できるだけの長さを有している。更に、アンテナ支持棒４は、棒状部分を弾力性部材で構成することにより、先端に衝撃加圧があっても吸収できる。また、アンテナ支持棒４は、先端の可動部５をアンテナ支持棒収納部４Ｓ方向に押し込まれることにより、図１（Ｂ）に示されるように、アンテナ支持棒収納部４Ｓに収納される。
【００２９】
可動部５は、アンテナ支持棒４の先端に備えられ、外部アンテナ３の一端を固定している。可動部５は、外部アンテナ３の他端がアンテナ支持棒先端の可動部５の周囲で自在に回動可能でかつ所定の位置に固定可能となるような構造を有する。露出外部導体６は「λ／４」長の線分を有し、上述するように外導線により回路基板２のグランドに接続する。
【００３０】
このような実装形態を採用したので、ＰＣカード型無線端末装置をパソコンのスロットに装着した状態で、電磁遮蔽されたアンテナ支持棒４を筐体１から引き出した場合、外部アンテナ３を、パソコンおよび本体装置の高周波回路から離すことができるので、これらの高周波回路から生じる雑音の影響を低減することができる。
【実施例２】
【００３１】
本発明の図１におけるアンテナ支持棒４について、実施例２として、図２および図３を参照して説明する。
【００３２】
図２の実施例２は、上記図１（Ａ）に示される外部アンテナ３およびアンテナ支持棒４を含む実施の一形態である。次に、その概要について説明する。
【００３３】
図２のアンテナ支持棒４は、図１（Ａ）に示されたアンテナ支持棒収納部４Ｓから引き出された状態であり、筐体１に掛止する側の基板側アンテナ支持棒４ｂと外部アンテナ３を保持する側の先端側アンテナ支持棒４ｔとの二つにより構成される。アンテナ支持棒４は、基板側アンテナ支持棒４ｂの先端部分に、先端側アンテナ支持棒４ｔを被せた形状を有し、引き出された状態で、基板側アンテナ支持棒４ｂの先端側アンテナ支持棒４ｔとの境界部分にスライド部１０が露出する。
【００３４】
上記図１に記載された以外に、基板側アンテナ支持棒４ｂはグランド接触体７および基板側信号接触体８、かつ、先端側アンテナ支持棒４ｔは先端側信号接触体９、それぞれを備える。基板側信号接触体８と先端側信号接触体９とは内導線および内導体で電気的に接続されている。
【００３５】
グランド接触体７は、一方で上述した外導線に接続しており、他方で本体装置回路基板のグランドと接触してグランド供給を受ける。基板側信号接触体８は、一方で基板側で上述した内導線に接続しており、他方でアンテナ支持棒４を引き伸ばした際に、本体装置回路基板の信号線と接触して信号を受ける。かつ、先端側信号接触体９は、先端側で上述した外部アンテナ３に接続しており、アンテナ支持棒４をアンテナ支持棒収納部４Ｓに収納した際に、本体回路基板の信号線に接触して信号を受ける。一方、先端側信号接触体９は、基板側の内部で内導線と接触する接触体構造を有し、アンテナ支持棒４をアンテナ支持棒収納部４Ｓから引き伸ばした際に、内導体を介して本体装置回路基板の信号線に接触し信号を受ける。
【００３６】
また、先端側アンテナ支持棒４ｔと基板側アンテナ支持棒４ｂとは、両者が嵌合した際、嵌合部分に伸張範囲１０を生じる構造を有している。具体的な例は後に説明する。
【００３７】
図３（Ａ）は、図２に示されたアンテナ支持棒がアンテナ支持棒収納部４Ｓに収納された状態を示す。図３（Ｂ）は、アンテナ支持棒がアンテナ支持棒収納部４Ｓから引き出された状態を示す。
【００３８】
アンテナ支持棒収納部４Ｓには、基板側グランド供給部１１、先端側グランド供給部１２、および信号線供給部１３が固定されている。基板側グランド供給部１１および先端側グランド供給部１２には、本体装置回路基板のグランドが接続されている。信号線供給部１３には、本体装置回路基板の信号線が接続されている。
【００３９】
図３（Ａ）に示されるように、アンテナ支持棒収納部４Ｓに収納されたアンテナ支持棒が先端部分を押し込まれた状態では、グランド接触体７が基板側グランド供給部１１に接触して押圧され本体装置回路基板のグランドの供給を受ける。この結果、基板側アンテナ支持棒４ｂの嵌合部分の伸張範囲１０が押し込まれた先端側アンテナ支持棒４ｔにより塞がれ、露出外部導体６が先端側グランド供給部１２に接触して本体回路基板グランドの供給を受ける。また、同時に、先端側信号接触体９が信号線供給部１３に接触して本体装置回路基板の信号線の供給を受ける。
【００４０】
図３（Ｂ）に示される、アンテナ支持棒収納部４Ｓから引き出されたアンテナ支持棒では、グランド接触体７が先端側グランド供給部１２に接触して押圧掛止され、本体装置回路基板のグランドの供給を受ける。この結果、基板側信号接触体８が信号線供給部１３に接触して本体装置回路基板の信号線の供給を受ける。
【００４１】
上記説明では、先端側信号接触体９が、アンテナ支持棒４をアンテナ支持棒収納部４Ｓから引き伸ばした際に、内導線に接触する接触体構造を有して本体装置回路基板から信号を受けるとしたが、接触体構造なしで、例えばらせん状の内導線を直結する構造であってもよい。
【００４２】
アンテナ支持棒収納部４Ｓに対応するアンテナ支持棒の実装形態をこのように採用したので、伸張範囲を適当に設けることにより、本体と外部アンテナとの距離を更に引き離すことができる。従って、雑音の影響をより一層低減することができる。
【実施例３】
【００４３】
本発明のアンテナ支持棒について、実施例３として、図４および図５を参照して説明する。
【００４４】
図４の実施例３は、上記実施例２に示される基板側アンテナ支持棒４ｂと先端側アンテナ支持棒４ｔとを含む実施の一形態であり、次に、その概要について説明する。
【００４５】
図４（Ａ）は基板側アンテナ支持棒４ｂの断面を説明用に示す平面図である。
【００４６】
図示される基板側アンテナ支持棒４ｂは、上述されたグランド接触体７および基板側信号接触体８以外、内導線２１、先端内導体２２、基板側絶縁体２３、スライド部外導体２４、基板側外導線２５、および基板側電磁遮蔽部材２６により構成される。
【００４７】
内導線２１は、基板側アンテナ支持棒４ｂの中心軸に位置して基板側信号接触体８と先端内導体２２とを接続する線状導体である。先端内導体２２は、頂上周辺に内部方向に庇を有する空間窓を備えた筒状体であり、底面中心部に内導線２１を接続する。筒状体の内部中空部分には後述する先端側アンテナ支持棒４ｔのバッファ３５および先端導体接触体３６が組み込まれる。基板側絶縁体２３は、内導線２１の周囲にあって上記先端内導体２２と直径を同一とする棒状体を形成し、その先端部に先端内導体２２を備える。
【００４８】
スライド部外導体２４は、基板側絶縁体２３が形成する棒状態の先端部分近くで、図２に示されたスライド部１０の中心軸方向の両端にまたがる部分で外周全体を覆う筒状導体または、例えば、中心軸に平行な少なくとも一つの線状または帯状の導体であり、先端側アンテナ支持棒４ｔの外導線とスライドし接触できるものである。基板側外導線２５は、一方を上述されたグランド接触体７に接続し、他方をスライド部外導体２４の基板側に接続している。基板側電磁遮蔽部材２６は、基板側絶縁体２３の外周表面で基板側外導線２５を覆う全ての範囲に備えられ、外部からの電磁気を内導線に対して遮断する。
【００４９】
図４（Ｂ）は先端側アンテナ支持棒４ｔの断面を説明用に示す平面図である。
【００５０】
図示される先端側アンテナ支持棒４ｔは、上述された露出外部導体６および先端側信号接触体９以外に、筒状絶縁体３１、先端側外導線３２、先端側電磁遮蔽部材３３、露出導体用絶縁体３４、バッファ３５、先端導体接触体３６、先端内導線３７、および先端内絶縁部材３８により構成される。
【００５１】
筒状絶縁体３１は、先端部に先端側信号接触体９を備え、基板側の中空部には上記先端内導体２２からスライド部外導体２４先端までの基板側絶縁体２３部分外周側壁を滑り込ませる。先端側外導線３２は、筒状絶縁体３１表面にあって、一端を先端側信号接触体９と間隙をもって配備される。先端側外導線３２の他端は、筒状絶縁体３１を基板側絶縁体２３部分の外周側壁に嵌め込んだ際、スライド部外導体２４の表面にあってこれと接触し電気的に接続する。先端側電磁遮蔽部材３３は、先端側外導線３２の露出外部導体６を除く外側表面を被覆して電磁気を遮蔽する。露出導体用絶縁体３４は露出外部導体６を先端側外導線３２から絶縁被覆するが、露出外部導体６は、アンテナとして利用するため、先端側で先端側外導線３２と電気的に接続している。
【００５２】
バッファ３５は、先端内導体２２の内部でその庇に掛止する形状と大きさとを有し、中央部分に先端導体接触体３６を固着する。先端導体接触体３６は、バッファ３５と共に先端内導体２２の内部にあるが、バッファ３５が先端内導体２２の内部でその庇に掛止した際に先端内導体２２の庇と接触して電気的接続を得る。先端内導線３７は、先端部の内導線であり、先端側信号接触体９を介して外部アンテナ３（図示省略、図２参照）に先端導体接触体３６を接続する。先端内絶縁部材３８は、先端導体接触体３６と先端側信号接触体９との間で先端内導線３７を中心軸とする一つの柱体を先端導体接触体３６と共に形成し、先端側信号接触体９に固着する。
【００５３】
図５は、図４（Ａ）の基板側アンテナ支持棒４ｂに図４（Ｂ）の先端側アンテナ支持棒４ｔを嵌め込み、上記図３（Ａ）の状態となった場合の断面を説明用に示す平面図である。
【００５４】
上記説明では、先端内導体２２の中空部分にバッファ３５および先端導体接触体３６があり、バッファ３５のみにより先端内導体２２に掛止されている。しかし、先端導体接触体３６の一部を先端内導体２２の内壁面に接触させてよい。その際には、その接触のために形成された部分で庇の一部を欠くことができる。この場合、基板側アンテナ支持棒４ｂから先端側アンテナ支持棒４ｔを掛止するまで引き出すまでもなく、外部アンテナに内導線を接続することができる。
【００５５】
このような構造では、例えば、先端内導体２２の中空内部底面にバッファ３５を配置した後、バッファ３５なしで組み立てた先端側アンテナ支持棒４ｔを先端導体接触体３６の裏面に接着剤をつけて、基板側アンテナ支持棒４ｂに被せて押し付けることにより、アンテナ支持棒（図１の４）の組立てが容易に完了する。
【実施例４】
【００５６】
本発明の図１における露出外部導体６の実施の一形態について、実施例４として、図６（Ａ）を参照して説明する。
【００５７】
図６（Ａ）の実施例４は、露出外部導体６Ａとして使用周波数の波長λに対し「４分の１」長の線分を有する複数の導体を先端側アンテナ支持棒４ｔの外周表面で中心軸に平行に備えている。露出外部導体６Ａは先端側アンテナ支持棒４ｔの先端部で図４（Ｂ）に示されるように先端側外導線３２に接続されている。
【実施例５】
【００５８】
本発明の図１における露出外部導体６の実施の一形態について、上記実施例４と異なる実施例５として、図６（Ｂ）を参照して説明する。
【００５９】
図６（Ｂ）の実施例５は、露出外部導体６Ｂとして使用周波数の波長λに対し「４分の１」長の線長を有する一本の導体を先端側アンテナ支持棒４ｔの外周表面に巻き付けらせん状に備えている。露出外部導体６Ｂも先端側アンテナ支持棒４ｔの先端部で図４（Ｂ）に示されるように先端側外導線３２に接続されている。
【００６０】
上記実施例４および実施例５は、アンテナ支持棒を引き伸ばした際には、外部アンテナ３と共にアンテナとして作動する。
【産業上の利用可能性】
【００６１】
使用周波数の波長λに対して「４分の１」長の棒状アンテナを先端に設け外周表面のほぼ全体を電磁遮蔽したアンテナ支持棒を、本体装置から引き出すことによって、外部アンテナをパソコンおよび本体装置の無線回路から容易に遠く引き離すことができるので、アンテナ支持棒の収納が不可欠な無線携帯端末を用途に広く適用することができる。
【図面の簡単な説明】
【００６２】
【図１】（Ａ）は、本発明によるＰＣカード型無線端末装置のアンテナ支持棒を引き出した状態を実施の一形態に示して説明する斜視図、また（Ｂ）は、アンテナ支持棒を本体装置に収納した状態を実施の一形態に示して説明する斜視図である。（実施例１）
【図２】図１における外部アンテナを備えたアンテナ支持棒の外観を実施の一形態に示して説明する側面図である。（実施例２）
【図３】（Ａ）は、図２に示されるアンテナ支持棒が収納部に収納された状態を実施の一形態に示して説明する側面図、また（Ｂ）は、収納部から引き出された状態を実施の一形態に示して説明する側面図である。（実施例２）
【図４】（Ａ）は、図２に示されるアンテナ支持棒の基板側部分を、断面に模した実施の一形態に示して説明する平面図、また（Ｂ）は、アンテナ支持棒の先端側部分を、断面に模した実施の一形態に示して説明する平面図である。（実施例３）
【図５】図４における基板側部分（Ａ）に先端側部分（Ｂ）を嵌め込んだアンテナ支持棒を、断面に模した実施の一形態に示して説明する平面図である。（実施例３）
【図６】（Ａ）は、図５に示されるアンテナ支持棒の露出外部導体を、断面に模した状態の実施の一形態に示して説明する斜視図、（実施例４）また（Ｂ）は、（Ａ）とは異なるアンテナ支持棒の露出外部導体を、断面に模した状態の実施の一形態に示して説明する斜視図である。（実施例５）
【図７】従来のＰＣカード型無線端末装置の外部アンテナを引き出した状態の一例を示して説明する斜視図である。
【符号の説明】
【００６３】
１    筐体
２    回路基板
３    外部アンテナ
４    アンテナ支持棒
４ｂ    基板側アンテナ支持棒
４Ｓ    アンテナ支持棒収納部
４ｔ    先端側アンテナ支持棒
５    可動部
６、６Ａ、６Ｂ    露出外部導体
７    グランド接触体
８    基板側信号接触体
９    先端側信号接触体
１０    スライド部１０
１１    基板側グランド供給部
１２    先端側グランド供給部
１３    信号線供給部
２１    内導線
２２    先端内導体
２３    基板側絶縁体
２４    スライド部外導体
２５    基板側外導線
２６    基板側電磁遮蔽部材
３１    筒状絶縁体
３２    先端側外導線
３３    先端側電磁遮蔽部材
３４    露出導体用絶縁体
３５    バッファ
３６    先端導体接触体
３７    先端内導線
３８    先端内絶縁部材
【図１】
2006005867.tif 000003
【図２】
2006005867.tif 000004
【図３】
2006005867.tif 000005
【図４】
2006005867.tif 000006
【図５】
2006005867.tif 000007
【図６】
2006005867.tif 000008
【図７】
2006005867.tif 000009